(57)【要約】【課題】高速処理化と受入位置における物品の飛び出し防止とが両立可能な物品搬送装置、及びそれを備えた物品梱包装置を提供することを課題とする。【解決手段】受入位置Ｅで搬入コンベアから１２個の小袋Ｘ１〜Ｘ１２を受け入れ中の第１物品保持部材７０の最後尾の仕切り部材７２Ａ１２が、符号Ｊで示すように水平状態となったときに最後の小袋Ｘ１２を受け入れると、該仕切り部材７２Ａ１２を２ピッチを若干上回って矢印ｃ′方向に移動させて、斜め上向きの傾斜姿勢の状態で一旦ほぼ停止させ、その後、所定の高速で矢印ｃ方向へ移動させる。一方、前記仕切り部材７２Ａ１２が水平状態から矢印ｃ′方向に移動すると、後続する第２物品保持部材７１を２ピッチ移動させて、先頭から２番目の仕切り部材７２Ｂ１を水平状態とし、次回の小袋を受け入れるようにする。【選択図】　　図９
2004091160.tif 000002
【特許請求の範囲】
【請求項１】
物品を搬入する搬入手段と、搬送面に対して直立する複数枚の仕切り部材によって複数の物品保持空間が画成された物品保持部材が備えられ、所定の経路に沿って循環し、上流端部の受入位置で前記搬入手段から各保持空間に順次搬入された所定個数の物品を一群として下流側の排出位置に所定の搬送速度で搬送する搬送手段と、該搬送手段の駆動を制御する駆動制御手段とを有する物品搬送装置であって、前記駆動制御手段は、前記物品保持部材が前記受入位置で各保持空間に前記搬入手段から物品を受け入れる期間中は、各仕切り部材が下方から上方へ旋回する途中のほぼ水平状態となったときにその上に物品が搬入されるように前記搬送手段を駆動すると共に、所定個数の物品の最後の物品が保持空間に搬入されたときには、ほぼ水平状態で物品を受け入れた仕切り部材が所定の斜め上向きの傾斜姿勢となったのちに前記所定搬送速度で下流側へ移動するように、該搬送手段を駆動することを特徴とする物品搬送装置。
【請求項２】
前記駆動制御手段は、所定個数の物品の最後の物品が物品保持空間に搬入されたときに、ほぼ水平状態で物品を受け入れた仕切り部材が所定の斜め上向きの傾斜姿勢となるまでは前記所定搬送速度より低速で前記搬送手段を駆動し、その後、前記所定搬送速度で下流側へ移動するように、該搬送手段を駆動することを特徴とする請求項１に記載の物品搬送装置。
【請求項３】
前記駆動制御手段は、所定個数の物品の最後の物品が物品保持空間に搬入されたときに、ほぼ水平状態で物品を受け入れた仕切り部材が所定の斜め上向きの傾斜姿勢となった状態で前記搬送手段を一旦停止させ、その後、前記所定搬送速度で下流側へ移動するように、該搬送手段を駆動することを特徴とする請求項１に記載の物品搬送装置。
【請求項４】
同一の循環経路を移動する前記物品保持部材が複数備えられており、物品保持空間の個数と搬入された物品の個数とが等しい場合において、前記駆動制御手段は、所定個数の物品の最後の物品が物品保持空間に搬入されたときに、物品を受け入れた仕切り部材が水平状態から少なくとも隣接する仕切り部材間の間隔以上移動して所定の斜め上向きの傾斜姿勢となった状態で一旦停止するように、前記搬送手段を駆動することを特徴とする請求項３に記載の物品搬送装置。
【請求項５】
前記搬入手段と前記搬送手段とは、搬送方向が互いに直交するように配置されていることを特徴とする請求項１から請求項４のいずれかに記載の物品搬送装置。
【請求項６】
前記仕切り部材の直立時の高さは、物品の前記搬送手段による搬送時における高さより低いことを特徴とする請求項１から請求項５のいずれかに記載の物品搬送装置。
【請求項７】
前記駆動制御手段は、前記物品保持部材が前記搬入手段から物品を受け入れる期間中は間欠移動するように、前記搬送手段を駆動することを特徴とする請求項１から請求項６のいずれかに記載の物品搬送装置。
【請求項８】
所定個数の物品を袋または箱に詰め込んで梱包する物品梱包装置であって、請求項１から請求項７のいずれかに記載の物品搬送装置と、該物品搬送装置における搬送手段の下流部に設けられて、一群の物品をそれらの姿勢を保持した状態で前記袋または箱に詰め込む物品詰め込み手段とが備えられていることを特徴とする物品梱包装置。
【発明の詳細な説明】
【０００１】
【発明の属する技術分野】
本発明は、例えば複数の物品を袋詰めもしくは箱詰めする梱包装置等に採用される物品搬送装置、及び該搬送装置を備えた物品梱包装置に関し、物品搬送技術の分野に属する。
【０００２】
【従来の技術】
一般に、ポテトチップスなどの食品は袋詰めされたのち、搬送装置によって搬送されて、梱包ステーションで大きな包装袋に袋詰めされ或いは段ボール箱などに箱詰めされる。
【０００３】
ところで、近年、このような物品搬送技術の分野においては、高速処理化により生産性を向上させようとする傾向にある。これを実現するような搬送装置としては、図１２に示すものがある（例えば、特許文献１参照。）。
【０００４】
この搬送装置Ａは、矢印で示す物品Ｘ…Ｘの搬送方向と平行に無端状の４つのチェーンＢ１，Ｂ１，Ｂ２，Ｂ２を並列に配設し、第１チェーンＢ１，Ｂ１と第２チェーンＢ２，Ｂ２とをそれぞれ図示しない駆動手段によって独立して駆動するように構成すると共に、第１チェーンＢ１，Ｂ１と第２チェーンＢ２，Ｂ２とに、複数の仕切り部材Ｃ…Ｃが所定の間隔を置いて立設されて各仕切り部材Ｃ…Ｃ間に物品Ｘ…Ｘを保持する物品保持部材Ｄをそれぞれ一対ずつ設けた構成とされている。
【０００５】
そして、例えば、第１チェーンＢ１，Ｂ１によって搬送される一方の物品保持部材Ｄ１１が、図例上左方の受入位置Ｅで前記搬送装置Ａと搬送方向を同じくする上流側の搬入コンベア（図示せず）から所定個数の物品Ｘ…Ｘを受け入れている間に、他方の物品保持部材Ｄ１２が、物品Ｘ…Ｘの排出を終了して受入位置Ｅに向かって搬送され、また、先に所定個数の物品Ｘ…Ｘを受け入れた第２チェーンＢ２，Ｂ２側の一方の物品保持部材Ｄ２１が排出位置Ｆで停止して、プッシャ部材（図示せず）により保持している物品Ｘ…Ｘが梱包装置側へ一斉に排出されている間に、他方の物品保持部材Ｄ２２が受入位置Ｅに向かって搬送されるようになっており、このようにして、第１、第２チェーンＢ１，Ｂ１，Ｂ２，Ｂ２に設けられた合計４つの物品保持部材Ｄ…Ｄが受入位置Ｅと排出位置Ｆとの間を移動し、物品Ｘ…Ｘの受け入れ、搬送、及び排出を効率よく行うようになっている。
【０００６】
【特許文献１】
特開２０００−６９１０号公報（第４−８頁、図１）
【０００７】
【発明が解決しようとする課題】
ところで、この種の搬送装置においては、高速処理化を図るため、物品保持部材は物品の受け入れ或いは排出が完了すると高速で受入位置から排出位置方向或いは排出位置から受入位置方向へ移動することにより、別なる物品保持部材を速やかに受入位置或いは排出位置に迎え入れ可能に構成されているが、その場合、以下のような問題が生じることがある。
【０００８】
すなわち、特に受入位置で物品保持部材の各仕切り部材が下方から上方へ旋回する途中のほぼ水平状態となったときに、搬送装置の搬送方向と直交する方向から物品が搬入されるような構成の場合、受け入れを完了した物品保持部材が排出位置方向へ受け入れ期間中よりも高速で移動を開始すると、一群の物品のうち最後に水平状態の仕切り部材上に搬入された物品は、高速で移動を開始したときに作用する遠心力に抗しきれずに、仕切り部材から飛び出ることがある。その結果、下流側の梱包ステーションで袋詰め或いは箱詰めされた最終製品に、欠品の不具合が生じることになる。また、物品保持部材が物品の受け入れ期間中、各仕切り部材が順次ほぼ水平状態で一旦停止し、その間にこの仕切り部材上に物品が搬入される都度間欠移動するように搬送装置が駆動されている場合には、微速で連続して移動する場合に比較して前記遠心力の影響は大きく、問題は一層顕在化する。
【０００９】
前記問題の解消策として、所定個数の物品の受け入れ完了後、当該物品保持部材を緩やかに移動させることが考えられるが、このことは後続する物品保持部材が受入位置へ速やかに到達するのを邪魔することになるので、高速処理化の妨げになる。特に、上流側の装置から略一定間隔で物品が供給されている場合には、この方法は採用し難いものとなる。
【００１０】
また、物品を斜め姿勢で搬送可能な搬入コンベアを用い、仕切り部材が斜め上向きの傾斜姿勢の状態のときに該搬入コンベアで物品を搬入することによって、遠心力に対抗する方向の力（この場合、物品に作用する重力の反遠心力方向成分）を導入する方法が考えられるが、このことは搬送装置への搬入手段を限定することになって汎用性に欠ける。しかも、このような搬入コンベアによって特に軽量の物品が搬入される場合において、物品を安定的に斜め姿勢で搬送するためのガイド手段が用いられると、このガイド手段と物品との間の摩擦によって、搬入コンベアの走行速度と物品の移動速度とが同期しなくなり、搬入コンベアから搬送装置への物品の受け渡しが的確に行われなくなるという問題が生じることがある。
【００１１】
さらに、受入位置近傍に、例えば搬入された物品の上方を覆うように飛び出し防止のための規制部材を設けることが考えられるが、その場合には、部品点数増となってコスト高騰を招くと共に、搬送対象の物品の寸法が制約されたり、或いは物品替えの都度この部材の調整が必要となる等の問題が生じるようになる。
【００１２】
そこで、本発明は、以上の現状に鑑み、高速処理化と受入位置における物品の飛び出し防止とが両立可能な物品搬送装置、及びそれを備えた物品梱包装置を提供することを課題とする。
【００１３】
【課題を解決するための手段】
前記課題を解決するため、本発明は次のように構成したことを特徴とする。
【００１４】
まず、請求項１に記載の発明は、物品を搬入する搬入手段と、搬送面に対して直立する複数枚の仕切り部材によって複数の物品保持空間が画成された物品保持部材が備えられ、所定の経路に沿って循環し、上流端部の受入位置で前記搬入手段から各保持空間に順次搬入された所定個数の物品を一群として下流側の排出位置に所定の搬送速度で搬送する搬送手段と、該搬送手段の駆動を制御する駆動制御手段とを有する物品搬送装置において、前記駆動制御手段が、前記物品保持部材が前記受入位置で各保持空間に前記搬入手段から物品を受け入れる期間中は、各仕切り部材が下方から上方へ旋回する途中のほぼ水平状態となったときにその上に物品が搬入されるように前記搬送手段を駆動すると共に、所定個数の物品の最後の物品が保持空間に搬入されたときには、ほぼ水平状態で物品を受け入れた仕切り部材が所定の斜め上向きの傾斜姿勢となったのちに前記所定搬送速度で下流側へ移動するように、該搬送手段を駆動することを特徴とする。
【００１５】
この発明によれば、ほぼ水平状態で最後の物品を受け入れた仕切り部材が所定の傾斜姿勢の状態となったのちに、物品保持部材は所定搬送速度つまり受け入れ期間中の速度より高速で移動するので、高速処理化が維持されながら、前記旋回時に物品に作用する遠心力に対抗する方向の力（前述のように、物品に作用する重力の反遠心力方向成分）の導入によって物品保持部材からの物品の飛び出しが防止される。したがって、このような物品搬送装置の下流側に袋詰めや箱詰め等の梱包装置が配置されている場合、欠品による不良製品の発生が未然に防止される。
【００１６】
また、飛び出しを規制するための部材等を必要としないので、いたずらにコストの高騰を招くことはない。しかも、仕切り部材はほぼ水平状態のときに物品を受け入れるので、搬入手段には物品を横姿勢で搬送する一般的な形式のものが用いられ、もって汎用性のある物品搬送装置が実現される。もちろん、軽量の物品であっても安定的に搬入され、物品の受け渡しが的確に行われるのはいうまでもない。
【００１７】
次に、請求項２に記載の発明は、前記請求項１に記載の物品搬送装置において、前記駆動制御手段が、所定個数の物品の最後の物品が物品保持空間に搬入されたときに、ほぼ水平状態で物品を受け入れた仕切り部材が所定の斜め上向きの傾斜姿勢となるまでは前記所定搬送速度より低速で前記搬送手段を駆動し、その後、前記所定搬送速度で下流側へ移動するように、該搬送手段を駆動することを特徴とする。
【００１８】
また、請求項３に記載の発明は、同じく前記請求項１に記載の物品搬送装置において、前記駆動制御手段が、所定個数の物品の最後の物品が物品保持空間に搬入されたときに、ほぼ水平状態で物品を受け入れた仕切り部材が所定の斜め上向きの傾斜姿勢となった状態で前記搬送手段を一旦停止させ、その後、前記所定搬送速度で下流側へ移動するように、該搬送手段を駆動することを特徴とする。
【００１９】
これらの発明は前記請求項１に記載の発明において、最後の物品が物品保持空間に搬入されたときの搬送手段の駆動方法をさらに具体化したもので、いずれによっても高速処理化と物品の飛び出し防止とが容易かつ効果的に両立することになる。
【００２０】
そして、請求項４に記載の発明は、前記請求項３に記載の物品搬送装置において、同一の循環経路を移動する前記物品保持部材を複数備え、物品保持空間の個数と搬入された物品の個数とが等しい場合において、前記駆動制御手段が、所定個数の物品の最後の物品が物品保持空間に搬入されたときに、物品を受け入れた仕切り部材が水平状態から少なくとも隣接する仕切り部材間の間隔以上移動して所定の斜め上向きの傾斜姿勢となった状態で一旦停止するように、該搬送手段を駆動することを特徴とする。
【００２１】
さらなる高速処理化のため、同一循環経路上に複数の物品保持部材を備えることがある。そのような場合、この発明によれば、先行して物品を受け入れる物品保持部材において最後の物品を受け入れた仕切り部材は、当該物品保持部材の直後の位置に後続することになる別なる物品保持部材の受入位置への速やかな到達を邪魔することのない距離だけ受け入れ時の水平状態から移動したのち、前記先行する物品保持部材は排出位置へ高速で移動する。したがって、この場合の初期の目的であるさらなる高速処理化が図られた上で、飛び出し問題が解消される。なお、所定の傾斜姿勢とは、この傾斜姿勢の状態から高速で旋回して移動しても物品の飛び出しが生じなく、かつ、先行する物品保持部材が後続する別なる物品保持部材に干渉することのない姿勢である。
【００２２】
また、請求項５に記載の発明は、前記請求項１から請求項４のいずれかに記載の物品搬送装置において、前記搬入手段と前記搬送手段とを、搬送方向が互いに直交するように配置したことを特徴とする。
【００２３】
搬入手段及び搬送手段の搬送方向が互いに直交するように両手段を配置することにより、処理ラインの長大化が阻止されることになるが、一方、両手段の搬送方向が一致している場合に比較して、高速で移動を開始したときに一群の物品のうちで水平状態の仕切り部材上に最後に搬入された物品に対する遠心力の影響が顕在化することになる。そのような場合にも、遠心力に対抗する方向の力を導入可能な本発明は飛び出し防止に効果的である。なお、搬送方向が一致している場合には、遠心力に対抗する方向の力が自ずと導入されるので、一般に物品の飛び出しのおそれは少ない。
【００２４】
また、請求項６に記載の発明は、前記請求項１から請求項５のいずれかに記載の物品搬送装置において、前記仕切り部材の直立時の高さを、物品の前記搬送手段による搬送時における高さより低くしたことを特徴とする。
【００２５】
下流側の排出位置に例えば櫛歯状のプッシャ部材を仕切り部材に干渉することなく垂直及び水平移動させることによって物品保持部材の保持空間から一群の物品を排出する排出機構が設けられている場合において、仕切り部材の高さが物品の高さより低いと垂直移動ストロークが小さくて済むことから、プッシャ部材の移動エネルギの低減及び移動時間の短縮が可能となり、かつ、排出機構の大型化が阻止されることになるが、一方、仕切り部材の高さが物品の高さより高い場合に比較して仕切り部材と物品との間の摩擦が小さいことも相俟って、高速で移動を開始したときに遠心力によって物品は飛び出し易くなる。そのような場合にも、遠心力に対抗する方向の力を導入可能な本発明は飛び出し防止に効果的である。
【００２６】
さらに、請求項７に記載の発明は、前記請求項１から請求項６のいずれかに記載の物品搬送装置において、前記駆動制御手段が、前記物品保持部材が前記搬入手段から物品を受け入れる期間中は間欠移動するように、前記搬送手段を駆動することを特徴とする。
【００２７】
物品を受け入れる期間中、当該物品保持部材を間欠移動させることにより、物品保持部材が微速で連続して移動する場合に比較して、搬入手段からの物品の受け入れがより確実となるが、一方、高速で移動を開始したときに一群の物品のうちで最後に搬入された物品に対する遠心力の影響は顕在化することになる。そのような場合にも、遠心力に対抗する方向の力を導入可能な本発明は飛び出し防止に効果的である。
【００２８】
そして、請求項８に記載の発明は、所定個数の物品を袋または箱に詰め込んで梱包する物品梱包装置において、前記請求項１から請求項７のいずれかに記載の物品搬送装置と、該物品搬送装置における搬送手段の下流部に設けられて、一群の物品をそれらの姿勢を保持した状態で前記袋または箱に詰め込む物品詰め込み手段とを備えたことを特徴とする。
【００２９】
この発明によれば、前記物品搬送装置の作用が梱包装置として実現され、袋詰め或いは箱詰めされた最終製品における欠品の不具合が未然に防止されるので、該梱包装置の生産性の低下が回避されることになる。
【００３０】
【発明の実施の形態】
以下、本発明の実施の形態に係る袋詰め商品生産ラインについて説明する。なお、以下の記載において、「前、後」とあるのは、それぞれ物品の搬送方向の下流側、上流側を、また、「左、右」とあるのは、それぞれ搬送方向の左側、右側を意味する。
【００３１】
図１に示す袋詰め商品生産ライン１は大袋Ｙの中に複数の小袋Ｘ…Ｘを詰めた商品Ｚを生産する。小袋Ｘは例えばポテトチップス等のスナック菓子を充填したものである。本実施の形態では、最終製品Ｚは６個×２列に整列した計１２個の小袋Ｘ…Ｘが大袋Ｙに袋詰めされたものである。そして、生産ライン１は主たる構成要素として包装機１０、シールチェッカ２０、搬送装置３０及び袋詰め装置４０を含む。
【００３２】
包装機１０は周知の縦ピロー包装機であって、図外の計量装置で所定重量に計量された被包装物を小袋Ｘに充填して該小袋Ｘをコンベア１１上に縦シール部を上に向けた姿勢で排出する。排出された小袋Ｘはコンベア１１で矢印ａ方向に搬送されながらシールチェッカ２０を通過する間にシールの良否が検査される。シールチェッカ２０を通過した小袋Ｘは矢印ｂで示すように搬入コンベア３１を経由して搬送装置３０に１個づつ順に供給される。搬送装置３０は供給された横姿勢の小袋Ｘを搬送部３２で縦姿勢に起こし、１２個１組で袋詰め装置４０の正面まで矢印ｃで示すように搬送する。搬送装置３０には、該搬送装置３０や下流側の袋詰め装置４０の突然の稼働停止等の理由により、小袋Ｘを搬送部３２に与えずに矢印ｄで示すように機外に一時的に貯留させるための貯留部３３が設けられている。
【００３３】
袋詰め装置４０の正面に搬送された小袋群Ｘ…Ｘは、６個ずつ２回に分けて矢印ｅで示すように導入部４１に押し出され、集合部４２で列方向に寄せられ、次の１組と共に２列に整列される。空の大袋Ｙがストック部４４から袋詰部４３に運びこまれ、大袋Ｙの口が開けられて、６個２列に整列した小袋Ｘ…Ｘが矢印ｆで示すように大袋Ｙの中に挿入される。その後、大袋Ｙは口がシールされ、最終製品Ｚとなって口を上に向けた立姿勢で排出コンベア４５，４６により矢印ｇ，ｈで示すように搬送されて次行程に運び出される。
【００３４】
搬送装置３０の構成について説明すると、図２〜図４に示すように、まず搬入コンベア３１は平ベルトタイプのもので、その搬送方向ｂが搬送部３２の搬送方向ｃと直交する向きで該搬送部３２の上流端部つまり小袋Ｘの受入位置Ｅに連結するように配置されている。また、搬送面を跨いで立設された前後のフレーム部材５１，５２に、それぞれ左右一対のガイド部材５３，５４，５５，５６が取り付けられており、横姿勢で搬送される小袋Ｘはこれらのガイド部材５３〜５６によって位置決めされて搬送部３２に供給されるようになっている。そして、前方右方のガイド部材５４の外側面には、噴射口が扁平な形状とされたエアノズル５７が配置されている。このエアノズル５７は図示しないエア源に接続されており、前方やや左方に向けてエアを噴射するようになっている。
【００３５】
また、搬入コンベア３１の上流端及び下流端近傍に、小袋Ｘを検知する第１及び第２光電センサ５８ａ，５８ｂがそれぞれ配設されている。
【００３６】
搬送部３２は、搬送装置３０の本体ケース３０ａ内に回転自在に軸支された前後一対のシャフト６１，６２を備えている。前方のシャフト６１の所定位置に４個のスプロケット６３ａ〜６３ｄが、後方のシャフト６２の所定位置に同様に４個のスプロケット６４ａ〜６４ｄが組み付けられている。そして、対向配置された前後のスプロケット６３ａ〜６３ｄ，６４ａ〜６４ｄ間にそれぞれ１条の無端状チェーン６５ａ〜６５ｄが巻き掛けられている。
【００３７】
本体フレーム３０ａ内の前方寄りと後方寄りとにモータ６６，６７が配設されており、これらの駆動力がタイミングベルト６８，６９を介してそれぞれ前記シャフト６１，６２に伝達される。この場合、モータ６６の駆動力はスプロケット６３ａ，６３ｄに伝達されてチェーン６５ａ，６５ｄが、モータ６７の駆動力はスプロケット６４ｂ，６４ｃに伝達されてチェーン６５ｂ，６５ｃが一斉に走行可能に構成されている。
【００３８】
一方の一対のチェーン６５ｂ，６５ｃ間及び他方の一対のチェーン６５ａ，６５ｄ間には、一群の小袋Ｘ…Ｘを保持する図例上前方側の第１物品保持部材７０と後方側の第２物品保持部材７１とがそれぞれ連結されている。各物品保持部材７０，７１は、それぞれ１２個の小袋Ｘ…Ｘを所定の姿勢つまりこの場合には縦姿勢で保持可能に構成されている。
【００３９】
第１及び第２物品保持部材７０，７１は同様な構成とされているので、便宜上一例として第１物品保持部材７０について詳しく説明すると、図２、図５、及び図６に示すように、この第１物品保持部材７０は１３個の側面視Ｌ字状の仕切り部材７２…７２を有し、隣接する仕切り部材７２，７２間当たり１個の小袋Ｘを保持する物品保持空間が画成されている。各仕切り部材７２は仕切り面７２ａと底面７２ｂとを有し、該底面７２ｂと一対のチェーン６５ｂ，６５ｃにそれぞれ固定された取付部材７３，７３及び左右に配置されたスペーサ７４，７４とのねじ止めにより、チェーン６５ｂ，６５ｃに着脱可能に支持されている。この場合、仕切り面７２ａの直立時の高さは搬送時の小袋Ｘの高さより低い構成とされている。なお、図５において図示しない第２物品保持部材７１の各仕切り部材７２は、鎖線で示すようにチェーン６５ａ，６５ｄに着脱可能に支持されている。
【００４０】
そして、各チェーン６５ａ〜６５ｄの上側走行部と下側走行部とを安定的に案内する搬送方向ｃに長いガイド部材（下側走行部側は図示せず）７５…７５が設けられている（図５及び図６参照）。なお、前出の図３及び図４では、これらのガイド部材７５…７５の図示を省略している。
【００４１】
さらに、受入位置Ｅ近傍の搬送部３２の上方は、開閉自在なカバー７６で覆われている（図２参照）。
【００４２】
図２及び図３に示すように、搬送装置３０の下流の排出位置Ｆ近傍には、一群の小袋Ｘ…Ｘをそれらの姿勢を保持した状態で矢印ｅで示すように該搬送装置３０から袋詰め装置４０に排出する排出部８１が設けられている。この排出部８１は本体フレーム３０ａ上に立設されたフレーム部材８２に支持されており、シリンダ等でなる周知の水平移動機構８３及び垂直移動機構８４、並びに垂直移動機構８４の下端部に取り付けられた櫛歯状のプッシャ部材８５等で構成されている。本実施の形態では、前述のように１回当たり６個の小袋Ｘ…Ｘがプッシャ部材８５によって排出され、各物品保持部材７０，７１によって搬送された一群つまり１２個の小袋Ｘ…Ｘは２回の排出動作によって排出が完了するようになっている。
【００４３】
そして、図３、図４、及び図７に示すように、搬送部３２の上流端部を挟んで搬入コンベア３１の反対側に、貯留部３３が設けられている。この貯留部３３は平ベルトコンベアタイプのもので、その搬送方向ｉが搬送部３２の搬送方向ｃと平行する向きで配置されており、図例のものは搬送面上に最大４個の小袋Ｘ…Ｘが横姿勢で貯留可能とされている。そして、この貯留部３３には、搬送部３２を通過した小袋Ｘを受け止めると共に、シリンダ９１で矢印ｄ方向に進退駆動されて貯留された小袋Ｘ…Ｘを横姿勢を保持したまま１個ずつ搬送部３２の受入位置Ｅに戻すプッシャ部材９２が設けられている。
【００４４】
また、搬送部３２の上流端部の小袋Ｘの搬入側と反対側の側部すなわち搬送部３２と貯留部３３との間に、搬入コンベア３１から矢印ｂで示すように図例上第２物品保持部材７１の仕切り部材７２上に供給された小袋Ｘを受け止めるストッパ部材９３が、実線で示す受け止め位置と鎖線で示す退避位置とに移動可能に設けられている。すなわち、本体フレーム３０ａに取り付けられたブラケット９４に支持されたシリンダ９５の概ね上下方向に進退するロッド９５ａの先端に、該ロッド９５ａの進退に伴って支軸９６を中心に矢印ｊ方向に回動する前記ストッパ部材９３が固定されている。
【００４５】
さらに、第２光電センサ５８ｂの若干前方の位置に、図示しない駆動手段によって実線で示す位置と太い鎖線で示す位置との間を上下動し、上動したときには貯留部３３から搬送部３２に戻される小袋Ｘを受け止める一方、下動したときには矢印ｂ方向から小袋Ｘを搬送部３２へ搬入させるシャッタ部材９７が設けられている（図７参照）。
【００４６】
この袋詰め商品生産ライン１の制御システムを図８に示す。該制御システムには、生産ライン１を総括的に制御すると共に小袋Ｘの種類ごとの初期設定や各種の制御パラメータ等を記憶しているコントロールユニット１００が備えられている。そして、このコントロールユニット１００は、包装機１０、シールチェッカ２０、搬入コンベア３１、搬送部３２、貯留部３３、排出部８１、袋詰め装置４０、プッシャ部材９２、ストッパ部材９３、シャッタ部材９７等に制御信号を出力してこれらの駆動を制御すると共に、第１及び第２光電センサ５８ａ，５８ｂからの検知信号を入力する。
【００４７】
次に、袋詰め商品生産ライン１の動作について説明する。
【００４８】
まず、基本動作から説明すると、包装機１０からシールチェッカ２０を経由した小袋Ｘが搬送装置３０の搬入コンベア３１から搬送部３２に１個ずつ横姿勢で搬入される。
【００４９】
そして、例えば受入位置Ｅを移動する第２物品保持部材７１に小袋Ｘが搬入されるとすると、その場合、この第２物品保持部材７１は、該保持部材７１に備えられた各仕切り部材７２…７２の仕切り面７２ａ…７２ａが順次一旦ほぼ水平状態となるように、該保持部材７１を支持する一対のチェーン６５ａ，６５ｄの間欠走行によって１ピッチずつつまり隣接する仕切り部材７２，７２間の間隔ずつ移動する。そして、各仕切り面７２ａ…７２ａがほぼ水平状態となったときに搬入コンベア３１から小袋Ｘが当該仕切り面７２ａ上に搬入されるように、例えば第２光電センサ５８ｂによる小袋Ｘの検知信号に基いてチェーン６５ａ，６５ｄの走行は制御される。また、通常であればシャッタ部材９７は下動位置にあると共にストッパ部材９３は受け止め位置にあるから、搬入された小袋Ｘはストッパ部材９３によって仕切り面７２ａ上で確実に受け止められ、隣接する仕切り部材７２，７２間の保持空間に良好に保持される。
【００５０】
次いでチェーン６５ａ，６５ｄは１ピッチ走行したのち停止し、そのときほぼ水平状態となった仕切り面７２ａ上に次の小袋Ｘが搬入される。こうして１２個の小袋Ｘ…Ｘが第２物品保持部材７１に保持されるまで、前記動作が繰り返される。なお、搬入された小袋Ｘはチェーン６５ａ，６５ｄの走行に伴って横姿勢から縦姿勢とされ、排出位置Ｆに到達するまで縦姿勢は保持される。
【００５１】
また、１２個の小袋Ｘ…Ｘを保持した図例上前方側の第１物品保持部材７０が排出位置Ｆに停止している。排出部８１の２回の排出動作で保持した小袋Ｘ…Ｘが全て袋詰め装置４０側に排出された第１物品保持部材７０は受入位置Ｅに向かって高速で移動する一方、所定の１２個の小袋Ｘ…Ｘが搬入された第２物品保持部材７１はこれらの小袋Ｘ…Ｘを縦姿勢に保持した状態で排出位置Ｆに向かって高速で移動する。そして、受入位置Ｅに到達した第１物品保持部材７０には搬入コンベア３１から小袋Ｘ…Ｘが搬入される一方、排出位置Ｆに停止した第２物品保持部材７１からは全ての小袋Ｘ…Ｘが排出部８１によって袋詰め装置４０に排出される。このような動作を間断なく実行させることにより、小袋Ｘ…Ｘの高速処理化が実現されることになる。
【００５２】
そして、何らかの理由によって搬送部３２や下流側の袋詰め装置４０の稼働が停止した場合、貯留部３３は以下のように動作する。
【００５３】
すなわち、例えばコントロールユニット１００にストッパ部材９３に対する退避要求信号が入力されると、該ストッパ部材９３は受け止め位置から退避位置に移動されると共にエアノズル５７からエアが噴射されて、第２物品保持部材７１の仕切り部材７２上に供給された小袋Ｘはさらに前方の貯留部３３へ速やかに送り出される。
【００５４】
一方、例えば第１及び第２光電センサ５８ａ，５８ｂに基き、搬入コンベア３１上を搬送中の前後の小袋Ｘ，Ｘ間の間隔が所定間隔以上となる機会が生じたとき等には、この機を利用して、シャッタ部材９７を上動させた上で、プッシャ部材９２を進出させることによって、貯留部３３の小袋Ｘを確実に搬送部３２の第２物品保持部材７１つまり仕切り部材７２上へ戻すことができる。戻された小袋Ｘは、搬入コンベア３１から搬入された小袋Ｘと同様に処理され、下流側の袋詰め装置４０に供給される。
【００５５】
こうすることにより、搬送部３２や下流側の袋詰め装置４０の稼働が停止した場合でも、上流側の包装機１０等を停止させなくても、当該搬送装置３０上等で小袋Ｘ…Ｘが溢れるという事態が回避されることになり、ひいては処理ライン１の生産性の低下が回避されるようになる。
【００５６】
そして、本実施の形態に係る搬送部３２の場合、搬入コンベア３１からの小袋Ｘの受け入れに際し、図９〜図１１に示すような特徴的な動作をする。なお、一例としてこれまでの説明と異なり、受入位置Ｅにおいて、第１物品保持部材７０が先行し、第２物品保持部材７１がそれに後続している場合について説明する。また、より具体的に説明するため、各物品保持部材７０，７１の仕切り部材７２…７２及び搬入コンベア３１で搬入される小袋Ｘ…Ｘに、前後関係を明確にする添え字を適宜付している。
【００５７】
まず、図９に示すように、図例上右方の受入位置Ｅにおける所定の１２個の小袋Ｘ１〜Ｘ１２の受け入れ期間中、第１物品保持部材７０の各仕切り部材７２Ａ０〜７２Ａ１２が、矢印ｃ′で示すように下方から上方へ旋回する途中で符号Ｊで示すようにほぼ水平状態となって一旦停止し、そのときに搬入コンベア３１から小袋Ｘ１〜Ｘ１２が１個ずつ搬入されるように、一対のチェーン６５ｂ，６５ｃに連結されて１ピッチずつ間欠移動している。なお、第１物品保持部材７０は、全体としては矢印ｃで示す方向へ向かって移動している。
【００５８】
そして、図例では、第１物品保持部材７０において隣接する仕切り部材７２，７２によって画成された物品保持空間には、すでに１１個の小袋Ｘ１〜Ｘ１１が保持されており、今、ほぼ水平状態となった最後尾の仕切り部材７２Ａ１２上に、第１物品保持部材７０に保持されるべき最後の小袋Ｘ１２が搬入されている。
【００５９】
一方、第１物品保持部材７０の背後には、各仕切り部材７２Ｂ０〜７２Ｂ１２が一対のチェーン６５ａ，６５ｄに連結されて全ての物品保持空間が空の第２物品保持部材７１が取り付くように配置されていると共に、第１物品保持部材７０の移動に合わせて１ピッチずつ間欠移動している。この場合、第２物品保持部材７１の先頭の仕切り部材７２Ｂ０が、第１物品保持部材７０の最後尾の仕切り部材７２Ａ１２に対して略１ピッチ離間して移動するように、第２物品保持部材７１は駆動される。なお、仕切り部材７２Ａ１２と仕切り部材７２Ｂ０とが隣接するとはいえ、この場合、両仕切り部材７２Ａ１２，７２Ｂ０は物品保持空間を画成しない。
【００６０】
次に、第１物品保持部材７０の仕切り部材７２Ａ１２に１２個の小袋Ｘ１〜Ｘ１２のうちの最後の小袋Ｘ１２が搬入されると、該仕切り部材７２Ａ１２は２ピッチを若干上回って移動して、斜め上向きの傾斜姿勢の状態で一旦ほぼ停止する。その後、該仕切り部材７２Ａ１２は、図１０に示すように、他の仕切り部材（前方側の仕切り部材７２Ａ０，７２Ａ１は図示せず）７２Ａ０〜７２Ａ１１と一体に高速で矢印ｃ方向に移動する。
【００６１】
一方、前記仕切り部材７２Ａ１２が水平状態から移動を開始すると、第２物品保持部材７１は、それまでの１ピッチでなく２ピッチ移動し、その結果、該第２物品保持部材７１の先頭から２番目の仕切り部材７２Ｂ１は水平状態となって停止することとなり、この仕切り部材７２Ｂ１上に１２個の小袋Ｘ１〜Ｘ１２のうちの最初の小袋Ｘ１が搬入される。
【００６２】
このような第１及び第２物品保持部材７０，７１の動作を改めて図１１を用いて説明すると、符号Ｋで示す受け入れ期間中に最後の小袋Ｘ１２を受け入れた第１物品保持部材７０は、符号Ｌで示すように２ピッチを若干上回って移動して傾斜姿勢の状態で一旦ほぼ停止したのち、符号Ｍで示すように所定の高速で下流側へ移動し、そして符号Ｎで示すように排出位置Ｆで停止する。この停止期間中に、保持空間に保持された１２個の小袋Ｘ１〜Ｘ１２が排出部８１によって袋詰め装置４０側に排出されると、第１物品保持部材７０は、符号Ｏで示すように所定の高速で受入位置Ｅへ移動する。
【００６３】
一方、小袋Ｘ１〜Ｘ１２を受け入れ中の第１物品保持部材７０に後続する第２物品保持部材７１は、符号Ｐで示すように前記第１物品保持部材７０の移動に合わせて１ピッチずつ移動し、第１物品保持部材７０が最後の小袋Ｘ１２を受け入れて受入位置Ｅを離脱すると、第２物品保持部材７１は符号Ｑで示すように２ピッチ移動して、先頭から２番目の仕切り部材７２Ｂ１がまず水平状態となって一旦停止して最初の小袋Ｘ１を受け入れる。その後は、これまでの第１物品保持部材７０に代わって第２物品保持部材７１が、符号Ｒで示すように受入位置Ｅを１ピッチずつ移動しながら順次水平状態となった仕切り部材７２Ｂ２〜７２Ｂ１２上に搬入コンベア３１からの小袋Ｘ２〜Ｘ１２を受け入れる。
【００６４】
その場合、第２光電センサ５８ｂによって搬送コンベア３１上を概ね一定間隔で搬送される小袋Ｘ１〜Ｘ１２が検知されると、所定時間Ｔの経過を待って第１及び第２物品保持部材７０，７１は１ピッチずつ間欠移動するようになっている。つまり、小袋Ｘ１〜Ｘ１２の検知後、該小袋Ｘ１〜Ｘ１２が所定の仕切り部材７２Ａ１〜７２Ａ１２，７２Ｂ１〜７２Ｂ１２上へ確実に搬入されてから、第１及び第２物品保持部材７０，７１が１ピッチずつ移動することにより、各仕切り部材７２Ａ１〜７２Ａ１２，７２Ｂ１〜７２Ｂ１２が順次次回の小袋Ｘ１〜Ｘ１２の受け入れに待機するようになっている。
【００６５】
こうすることにより、第１及び第２物品保持部材７０，７１が互いに干渉することはなく、第１物品保持部材７０は１２個の小袋Ｘ１〜Ｘ１２の受け入れが完了すると速やかに受入位置Ｅを離脱する一方、第２物品保持部材７１は速やかに受入位置Ｅに到達し、つまり仕切り部材７２Ｂ１は速やかに符号Ｊで示す水平状態となり、搬入コンベア３１によって概ね一定間隔で搬入される小袋Ｘ１〜Ｘ１２を的確に受け入れることができるようになる。
【００６６】
そして、最後の小袋Ｘ１２を受け入れた第１物品保持部材７０の仕切り部材７２Ａ１２が所定の傾斜姿勢の状態で一旦ほぼ停止したのち、所定の高速で下流側へ移動するので、前記小袋Ｘ１２に作用する重力の反遠心力方向成分が導入されることになり、該仕切り部材７２Ａ１２が矢印ｃ′で示すように下方から上方へ旋回するとき小袋Ｘ１２の飛び出しが防止される。しかも、所定の傾斜姿勢の状態で一旦ほぼ停止したのちは仕切り部材７２Ａ１２は高速で移動するので、高速処理化が維持される。したがって、このように構成された搬送装置３０を備えた袋詰め装置４０では、高速処理化が維持されると共に最終製品Ｚにおける欠品の不具合が未然に防止される。
【００６７】
また、本実施の形態のように、搬入コンベア３１と搬送部３２との搬送方向ｂ，ｃが互いに直交する場合、小袋Ｘ…Ｘの受入時に受入位置Ｅを各物品保持部材７０，７１が間欠移動する場合、或いは各仕切り部材７２の直立時の高さが搬送中の小袋Ｘの高さより低い場合等には、最後の小袋Ｘに作用する遠心力の影響は一般に顕著であって、該小袋Ｘは仕切り部材７２から飛び出し易くなるが、物品保持部材７０，７１を前述のように移動させることによって、飛び出し問題は解消される。
【００６８】
なお、前記実施の形態では、仕切り部材７２が水平状態で最後の小袋Ｘを受け入れると、該仕切り部材７２は所定の傾斜姿勢の状態まで移動して一旦ほぼ停止していたが、水平状態から傾斜姿勢の状態までの間を低速で移動し、その後、高速で下流側に移動するようにしてもよい。この場合、水平状態から高速で移動する場合に比較して小袋Ｘに作用する遠心力は小さくなり、かつ、反遠心力方向の力が導入されるので、物品保持部材７０，７１が受け入れた最後の小袋Ｘの飛び出しは防止される。
【００６９】
また、前記実施の形態では、第１物品保持部材７０の最後尾の仕切り部材７２Ａ１２と第２物品保持部材７１の先頭の仕切り部材７２Ｂ０とは、受入位置Ｅ付近では略１ピッチ離間して移動するようになっていたが、後者の仕切り部材７２Ｂ０を前者の仕切り部材７２Ａ１２に隣接するように、さらには重なり合うように配置してもよい。つまり、仕切り部材７２Ｂ０が仕切り部材７２Ａ１２を追い越したり或いは仕切り部材７２Ａ１２と接触しない限り、この仕切り部材７２Ｂ０を前記仕切り部材７２Ａ１２に近接して配置することができる。こうすることにより、先頭から２番目の仕切り部材７２Ｂ１を水平状態とするのに前述のように２ピッチ移動する必要がなく、例えば１ピッチ移動すればよくなって、さらなる高速処理化が図られる。
【００７０】
また、前記実施の形態では、各物品保持部材７０，７１の先頭の仕切り部材７２Ａ０，７２Ｂ０の形状は他の仕切り部材７２Ａ１〜７２Ａ１２，７２Ｂ１〜７２Ｂ１２の形状と同様にＬ字状とされていたが、これに限定される必要はなく、それぞれ直後方に配置された仕切り部材７２Ａ１，７２Ｂ１との間に物品保持空間を安定して画成するものであればよく、例えば平板状であってもよい。
【００７１】
そして、前記実施の形態では、搬送部３２は２つの物品保持部材７０，７１を有していたが、さらに高速処理化を図る場合には、物品保持部材を例えば４つに増加することができる。
【００７２】
【発明の効果】
以上説明したように、本発明によれば、一群の物品を所定の姿勢で下流側の排出位置へ搬送する場合に、高速処理化と受入位置における物品の飛び出し防止とが両立可能な物品搬送装置、及びそれを備えた袋詰め或いは箱詰め等の梱包装置が提供される。本発明は、梱包商品生産ラインなどの物品搬送技術の分野に広く好適である。
【図面の簡単な説明】
【図１】本発明の実施の形態に係る袋詰め商品生産ラインの概略平面図である。
【図２】搬送装置の側面図である。
【図３】同じく平面図である。
【図４】同じく受入位置近傍の要部拡大平面図である。
【図５】図２のＧ−Ｇ線による要部拡大矢視図である。
【図６】図５のＨ−Ｈ線による矢視図である。
【図７】図４のＩ−Ｉ線による拡大矢視図である。
【図８】袋詰め商品生産ラインの制御システム図である。
【図９】受入位置における第１及び第２物品保持部材の動作を説明するための概略側面図である。
【図１０】同じく概略側面図である。
【図１１】第１及び第２物品保持部材の動作を説明するためのタイムチャートである。
【図１２】従来の搬送装置の概略側面図である。
【符号の説明】
３０　　　搬送装置（物品搬送装置）
３１　　　搬入コンベア（搬入手段）
３２　　　搬送部（搬送手段）
４０　　　袋詰め装置（物品梱包装置）
７０，７１　　物品保持部材（物品保持手段）
７２　　　仕切り部材
８１　　　排出部（物品詰め込み手段）
１００　　コントロールユニット（駆動制御手段）
Ｘ　　　　小袋（物品）
【図１】
2004091160.tif 000003
【図２】
2004091160.tif 000004
【図３】
2004091160.tif 000005
【図４】
2004091160.tif 000006
【図５】
2004091160.tif 000007
【図６】
2004091160.tif 000008
【図７】
2004091160.tif 000009
【図８】
2004091160.tif 000010
【図９】
2004091160.tif 000011
【図１０】
2004091160.tif 000012
【図１１】
2004091160.tif 000013
【図１２】
2004091160.tif 000014